(57)【要約】【課題】正立等倍レンズアレイプレートの組み付け作業性を向上する。【解決手段】正立等倍レンズアレイプレート１１は、両面に複数の凸レンズが配置された第１レンズアレイプレート２４および第２レンズアレイプレート２６と、複数の第１開口部４０ａを有する第１遮光部材４０と、複数の第２開口部４２ａを有する第２遮光部材４２とを備える。第１レンズアレイプレート２４と第２レンズアレイプレート２６は、対応するレンズの組が共軸のレンズ系を構成するように積層されている。第１遮光部材４０は、第１開口部４０ａが対応する凸レンズの正面に位置するように第１レンズアレイプレート２４上に設けられ、第２遮光部材４２は、第２開口部４２ａが対応する第４レンズ２６ｂの正面に位置するように第２レンズアレイプレート２６上に設けられている。第１開口部４０ａおよび第２開口部４２ａは、レンズ側の開口端部が末広がりに形成されている。【選択図】図２
2011118122.tif 000002
【特許請求の範囲】
【請求項１】
第１面に規則的に配置された複数の第１レンズと、前記第１面に対向する第２面に規則的に配置された複数の第２レンズとを有する第１レンズアレイプレートと、
第３面に規則的に配置された複数の第３レンズと、前記第３面に対向する第４面に規則的に配置された複数の第４レンズとを有する第２レンズアレイプレートと、
複数の第１開口部を有する第１遮光部材と、
複数の第２開口部を有する第２遮光部材と、を備え、
前記第１レンズアレイプレートと前記第２レンズアレイプレートは、対応するレンズの組が共軸のレンズ系を構成するように前記第２面と前記第３面とを対向させて積層され、
前記第１遮光部材は、前記第１開口部が対応する前記第１レンズの正面に位置するように前記第１面上に設けられ、
前記第２遮光部材は、前記第２開口部が対応する前記第４レンズの正面に位置するように前記第４面上に設けられた正立等倍レンズアレイプレートであって、
前記第１開口部および／または前記第２開口部は、レンズ側の開口端部が末広がりに形成されていることを特徴とする正立等倍レンズアレイプレート。
【請求項２】
前記第１開口部および／または前記第２開口部は、レンズ側の開口端部がテーパ状に形成されていることを特徴とする請求項１に記載の正立等倍レンズアレイプレート。
【請求項３】
前記第１開口部および／または前記第２開口部は、レンズ側の開口端部が対応するレンズの外形に沿うように形成されていることを特徴とする請求項１に記載の正立等倍レンズアレイプレート。
【請求項４】
複数の第３開口部を有する第３遮光部材であって、前記第３開口部が対応する前記第２レンズおよび前記第３レンズの正面に位置するように前記第１レンズアレイプレートと前記第２レンズアレイプレートとの間に設けられた第３遮光部材をさらに備え、
前記第３開口部は、前記第２レンズ側および／または前記第３レンズ側の開口端部が末広がりに形成されていることを特徴とする請求項１から３のいずれかに記載の正立等倍レンズアレイプレート。
【請求項５】
被読取画像に光を照射するライン状光源と、
前記被読取画像から反射した光を集光する請求項１から４のいずれかに記載の正立等倍レンズアレイプレートと、
前記正立等倍レンズアレイプレートを透過した光を受光するラインイメージセンサと、
前記ライン状光源、前記正立等倍レンズアレイプレートおよび前記ラインイメージセンサを収容する筐体と、
を備えることを特徴とする光走査ユニット。
【請求項６】
請求項５に記載の光走査ユニットと、
前記光走査ユニットによって検出された画像信号を処理する画像処理部と、
を備えることを特徴とする画像読取装置。
【発明の詳細な説明】
【技術分野】
【０００１】
本発明は、正立等倍レンズアレイプレート、光走査ユニットおよび画像読取装置に関する。
【背景技術】
【０００２】
従来、スキャナ等の画像読取装置やＬＥＤプリンタ等の画像形成装置として、正立等倍結像光学系を用いた装置が知られている。正立等倍結像光学系を用いた場合、縮小結像光学系の場合よりも装置をコンパクトにすることができる。画像読取装置の場合、正立等倍結像光学系は、ライン状光源と、正立等倍レンズアレイと、ラインイメージセンサから構成される。画像形成装置の場合、正立等倍結像光学系は、ライン状光源と、正立等倍レンズアレイと、感光ドラムから構成される。
【０００３】
正立等倍結像光学系における正立等倍レンズアレイとしては、従来、正立等倍像を結像可能なロッドレンズアレイが用いられてきたが、近年では、両面に複数の微小凸レンズを規則的に配列した透明なレンズアレイプレートを、個々の凸レンズの光軸が一致するように複数枚積層したレンズアレイユニットが提案されている。このようなレンズアレイユニットは、射出成形などの方法により形成できるレンズアレイプレートを積層した構造であるため、正立等倍レンズアレイを比較的安価に製造することができる。
【０００４】
レンズアレイユニットでは、隣接したレンズ間に光線を隔離するための壁が無いため、レンズアレイユニットに斜めに入射した光線が、プレート内部を斜めに進んで隣接した凸レンズに入り込み、出射してゴースト像を形成するという迷光の問題がある。
【０００５】
この迷光対策のため、たとえば特許文献１には、結像対象物から進行してきた光を絞るための遮光部材を結像対象物側の第１レンズアレイに取り付ける技術が開示されている。
【先行技術文献】
【特許文献】
【０００６】
【特許文献１】特開２００１−３５２４２９号公報
【発明の概要】
【発明が解決しようとする課題】
【０００７】
特許文献１に記載のレンズアレイユニットでは、第１レンズアレイに設けられた凸部と遮光部材に設けられた凹部とを嵌合することにより、遮光部材に形成された複数の貫通孔が各々第１レンズアレイに形成された対応するレンズ面の正面に位置するように位置合わせされて、遮光部材が第１レンズアレイに組み付けられている。
【０００８】
しかしながら、特許文献１のように凹凸部を用いた孔嵌合で第１レンズアレイと遮光部材とを組み付ける場合、孔嵌合では孔径にある程度の遊びが必要なため、第１レンズアレイと遮光部材とを精度良く位置合わせするのが難しく、組み付け作業性の点で改善の余地がある。
【０００９】
本発明はこうした状況に鑑みてなされたものであり、その目的は、正立等倍レンズアレイプレートの組み付け作業性を向上することのできる技術を提供することにある。
【課題を解決するための手段】
【００１０】
上記課題を解決するために、本発明のある態様の正立等倍レンズアレイプレートは、第１面に規則的に配置された複数の第１レンズと、第１面に対向する第２面に規則的に配置された複数の第２レンズとを有する第１レンズアレイプレートと、第３面に規則的に配置された複数の第３レンズと、第３面に対向する第４面に規則的に配置された複数の第４レンズとを有する第２レンズアレイプレートと、複数の第１開口部を有する第１遮光部材と、複数の第２開口部を有する第２遮光部材とを備える。第１レンズアレイプレートと第２レンズアレイプレートは、対応するレンズの組が共軸のレンズ系を構成するように第２面と第３面とを対向させて積層され、第１遮光部材は、第１開口部が対応する第１レンズの正面に位置するように第１面上に設けられ、第２遮光部材は、第２開口部が対応する第４レンズの正面に位置するように第４面上に設けられている。そして、第１開口部および／または第２開口部は、レンズ側の開口端部が末広がりに形成されている。
【００１１】
この態様によると、第１開口部、第２開口部のレンズ側の開口端部を末広がりに形成したことにより、第１面、第４面上に第１レンズアレイプレート、第２レンズアレイプレートを設ける際に、第１開口部、第２開口部と、第１レンズ、第４レンズとを位置合わせし易くなる。その結果、正立等倍レンズアレイプレートの組み付け作業性を向上できる。
【００１２】
第１開口部および／または第２開口部は、レンズ側の開口端部がテーパ状に形成されていてもよい。また、第１開口部および／または第２開口部は、レンズ側の開口端部が対応するレンズの外形に沿うように形成されていてもよい。
【００１３】
複数の第３開口部を有する第３遮光部材であって、第３開口部が対応する第２レンズおよび第３レンズの正面に位置するように第１レンズアレイプレートと第２レンズアレイプレートとの間に設けられた第３遮光部材をさらに備え、第３開口部は、第２レンズ側および／または第３レンズ側の開口端部が末広がりに形成されていてもよい。この場合、第１レンズアレイプレートと第２レンズアレイプレートとの間に第３遮光部材を設ける際に、第３開口部と、第２レンズ、第３レンズとの位置合わせをし易くなる。
【００１４】
本発明の別の態様は、光走査ユニットである。この光走査ユニットは、被読取画像に光を照射するライン状光源と、被読取画像から反射した光を集光する上述の正立等倍レンズアレイプレートと、正立等倍レンズアレイプレートを透過した光を受光するラインイメージセンサと、ライン状光源、正立等倍レンズアレイプレートおよびラインイメージセンサを収容する筐体とを備える。
【００１５】
この態様によると、上述の組立作業性の向上した正立等倍レンズアレイプレートを用いることにより、安価な光走査ユニットを実現できる。
【００１６】
本発明のさらに別の態様は、画像読取装置である。この装置は、上述の光走査ユニットと、該光走査ユニットによって検出された画像信号を処理する画像処理部とを備える。
【００１７】
この態様によると、上述の組立作業性の向上した正立等倍レンズアレイプレートを用いることにより、安価な光走査ユニットを実現できる。
【発明の効果】
【００１８】
本発明によれば、正立等倍レンズアレイプレートの組立作業性を向上することができる。
【図面の簡単な説明】
【００１９】
【図１】本発明の実施の形態に係る画像読取装置を説明するための図である。
【図２】正立等倍レンズアレイプレートの一部の主走査方向における断面図である。
【図３】本発明の別の実施の形態に係る正立等倍レンズアレイプレートを示す図である。
【図４】本発明のさらに別の実施の形態に係る正立等倍レンズアレイプレートを示す図である。
【図５】本発明のさらに別の実施の形態に係る正立等倍レンズアレイプレートを示す図である。
【発明を実施するための形態】
【００２０】
図１は、本発明の実施の形態に係る画像読取装置１００を説明するための図である。図１に示すように、画像読取装置１００は、光走査ユニット１０、原稿Ｇを載置する原稿台としてのガラス板１４、光走査ユニット１０を走査する駆動機構（図示せず）、光走査ユニット１０によって読み取られたデータを処理する画像処理部（図示せず）等を備える。
【００２１】
光走査ユニット１０は、ガラス板１４上に載置された原稿Ｇに光を照射するライン状光源１６と、原稿Ｇからの反射光を集光する正立等倍レンズアレイプレート１１と、正立等倍レンズアレイプレート１１により集光された光を受けるラインイメージセンサ（光電変換素子）２０と、ライン状光源１６、正立等倍レンズアレイプレート１１およびラインイメージセンサ２０を収容する筐体１２とを備える。
【００２２】
筐体１２は、略直方体形状に形成されており、筐体１２の上面には第１凹部１２ａおよび第２凹部１２ｂが形成され、下面には第３凹部１２ｃが形成されている。筐体１２は、樹脂の射出成形により形成される。射出成形により筐体１２を形成することにより、筐体１２を容易に形成でき、安価とすることができる。第１凹部１２ａ内には、ライン状光源１６が斜めに固定されている。ライン状光源１６は、照射光の光軸が、正立等倍レンズアレイプレート１１の光軸Ａｘとガラス板１４の上面との交点を通るように固定される。
【００２３】
第２凹部１２ｂには、正立等倍レンズアレイプレート１１が固定されている。第３凹部１２ｃには、ラインイメージセンサ２０を備えた基板２２が取り付けられている。基板２２は、その上面が第３凹部１２ｃに設けられた段差部１２ｄに当接するように固定されている。
【００２４】
正立等倍レンズアレイプレート１１は、後述するように、複数の凸レンズを両面に形成した第１レンズアレイプレート２４、第２レンズアレイプレート２６が対応するレンズの組が共軸のレンズ系を構成するように積層されたものである。第１レンズアレイプレート２４、第２レンズアレイプレート２６は、ホルダ（図示せず）により積層状態で保持されている。
【００２５】
正立等倍レンズアレイプレート１１は、その長手方向が主走査方向に、短手方向が副走査方向に一致するように画像読取装置１００に装着される。正立等倍レンズアレイプレート１１は、上方に位置する原稿Ｇから反射されたライン状の光を受けて、下方に位置する像面、すなわちラインイメージセンサ２０の受光面に正立等倍像を形成する。画像読取装置１００は、光走査ユニット１０を副走査方向に走査することにより、原稿Ｇを読み取ることができる。
【００２６】
図２は、正立等倍レンズアレイプレート１１の一部の主走査方向における断面図である。図２において、横方向が正立等倍レンズアレイプレート１１の主走査方向（長手方向）であり、奥行き方向が副走査方向（短手方向）である。
【００２７】
上述したように、正立等倍レンズアレイプレート１１は、第１レンズアレイプレート２４と第２レンズアレイプレート２６とが積層されて構成されている。第１レンズアレイプレート２４および第２レンズアレイプレート２６は、長方形状のプレートであり、その両面には複数の凸レンズが配列形成されている。
【００２８】
第１レンズアレイプレート２４および第２レンズアレイプレート２６は、射出成形により形成される。第１レンズアレイプレート２４および第２レンズアレイプレート２６の材質は、射出成形に使用可能で、必要な波長帯域の光に対して光透過性が高く、吸水性の低いものが望ましい。望ましい材質としては、シクロオレフィン系樹脂や、オレフィン系樹脂、ノルボルネン系樹脂、ポリカーボネートなどを例示することができる。
【００２９】
第１レンズアレイプレート２４の一方の面である第１面２４ｃ上には、複数の第１レンズ２４ａが、第１レンズアレイプレート２４の長手方向に沿って一列に配列されている。また、第１レンズアレイプレート２４の第１面２４ｃに対向する第２面２４ｄ上には、複数の第２レンズ２４ｂが、第１レンズアレイプレート２４の長手方向に沿って一列に配列されている。
【００３０】
第２レンズアレイプレート２６の一方の面である第３面２６ｃ上には、複数の第３レンズ２６ａが、第２レンズアレイプレート２６の長手方向に沿って一列に配列されている。また、第３面２６ｃに対向する第４面２６ｄ上には、複数の第４レンズ２６ｂが、第２レンズアレイプレート２６の長手方向に沿って一列に配列されている。
【００３１】
なお、本実施の形態では、第１レンズ２４ａ、第２レンズ２４ｂ、第３レンズ２６ａおよび第４レンズ２６ｂの形状を球面としたが、非球面であってもよい。
【００３２】
また、正立等倍レンズアレイプレート１１は、第１レンズ２４ａへ迷光が入射するのを遮断するための第１遮光部材４０を備える。第１遮光部材４０は、プレート状の光吸収性部材に複数の第１開口部４０ａを形成したものである。第１遮光部材４０を形成する遮光性材料としては、射出成型に使用可能で、且つ必要な波長帯域の光に対して遮光性が高い材料が望ましく、たとえば黒色のＡＢＳ樹脂を例示することができる。第１開口部４０ａは、平面視において円形の開口部であり、第１レンズ２４ａと同じピッチで第１遮光部材４０の長手方向に沿って一列に形成されている。また、第１遮光部材４０の高さは、所定の最大視野角までの光線を除去できる高さに設定されている。このように形成された第１遮光部材４０は、第１開口部４０ａが対応する第１レンズ２４ａの正面に位置するように第１レンズアレイプレート２４の第１面２４ｃ上に設けられる。図２に示すように、第１レンズ２４ａの周囲は第１遮光部材４０により囲われており、第１レンズ２４ａに入射する迷光が遮断される。
【００３３】
ここで、本実施の形態においては、第１開口部４０ａの第１レンズ２４ａ側の開口端部４０ｂが末広がりのテーパ状に形成されている。この開口端部４０ｂのテーパ部は、第１レンズ２４ａの外周部と当接している（図２では図示を明りょうにするために第１レンズ２４ａと開口端部４０ｂは僅かに離間している）。正立等倍レンズアレイプレート１１の組み付けにおいて、第１レンズアレイプレート２４上に第１遮光部材４０を配置する場合、このように第１開口部４０ａの開口端部４０ｂを末広がりのテーパ状に形成したことにより、それほど精密な位置合わせを行わずとも、第１開口部４０ａは自己的に第１レンズ２４ａの正面にアライメントされる。従って、専用の治具などを用いることなく、第１レンズアレイプレート２４上に第１遮光部材４０を配置できる。
【００３４】
また、正立等倍レンズアレイプレート１１は、第４レンズ２６ｂから出射された迷光を遮断するための第２遮光部材４２を備える。第２遮光部材４２は、第１遮光部材４０と同様の形状であり、複数の第２開口部４２ａを有する。第２遮光部材４２は、第２開口部４２ａが対応する第４レンズ２６ｂの正面に位置するように第２レンズアレイプレート２６の第４面２６ｄ上に設けられる。図２に示すように、第４レンズ２６ｂの周囲は第２遮光部材４２により囲われており、第４レンズ２６ｂから出射された迷光が遮断される。
【００３５】
第１開口部４０ａと同様に、第２開口部４２ａの第４レンズ２６ｂ側の開口端部４２ｂは、末広がりのテーパ状に形成されている。この開口端部４２ｂのテーパ部は、第４レンズ２６ｂの外周部と当接している（図２では図示を明りょうにするために第４レンズ２６ｂと開口端部４２ｂは僅かに離間している）。第２レンズアレイプレート２６上に第２遮光部材４２を配置する場合、このように第２開口部４２ａの開口端部４２ｂを末広がりのテーパ状に形成したことにより、それほど精密な位置合わせを行わずとも、第２開口部４２ａは自己的に第４レンズ２６ｂの正面にアライメントされる。従って、専用の治具などを用いずとも、第２レンズアレイプレート２６上に第２遮光部材４２を配置できる。
【００３６】
さらに、正立等倍レンズアレイプレート１１は、第１レンズアレイプレート２４と第２レンズアレイプレート２６との間に第３遮光部材４４を備える。第３遮光部材４４は、プレート状の光吸収性部材に複数の第３開口部４４ａを形成したものである。第３遮光部材４４は、第１遮光部材４０および第２遮光部材４２と同様の材料を用いて形成できる。第３開口部４４ａは、平面視において円形の開口部であり、第２レンズ２４ｂおよび第３レンズ２６ａと同じピッチで第３遮光部材４４の長手方向に沿って一列に形成されている。このように形成された第３遮光部材４４は、第３開口部４４ａが対応する第２レンズ２４ｂおよび第３レンズ２６ａの正面に位置するように第１レンズアレイプレート２４と第２レンズアレイプレート２６との間に設けられる。第３遮光部材４４により、第１レンズアレイプレート２４を通過した迷光を遮断することができるので、結像性能をより向上させることができる。
【００３７】
以上説明したように、本実施の形態に係る正立等倍レンズアレイプレート１１においては、第１開口部４０ａの開口端部４０ｂおよび第２開口部４２ａの開口端部４２ｂを末広がりのテーパ状に形成した。これにより、第１レンズ２４ａ、第４レンズ２６ｂと第１開口部４０ａ、第２開口部４２ａとが自己的にアライメントされるので、専用の治具などを用いずとも第１レンズアレイプレート２４、第２レンズアレイプレート２６上に第１遮光部材４０、第２遮光部材４２を配置できる。従って、正立等倍レンズアレイプレート１１の組み付け作業性を向上できる。
【００３８】
また、正立等倍レンズアレイプレート１１によれば、レンズアレイプレートと遮光部材を位置合わせするための凹凸嵌合構造が不要となるので、第１レンズアレイプレート２４、第２レンズアレイプレート２６、第１遮光部材４０、第２遮光部材４２の構造を簡素化できる。これにより、安価な正立等倍レンズアレイプレート１１を実現できる。なお、第１開口部４０ａの開口端部４０ｂおよび第２開口部４２ａの開口端部４２ｂを末広がりのテーパ状に形成する加工は、第１遮光部材４０および第２遮光部材４２を射出成形で形成することで容易に実現可能なので、特にコストアップの要因とはならない。
【００３９】
また、正立等倍レンズアレイプレート１１によれば、第１レンズ２４ａ、第４レンズ２６ｂと第１開口部４０ａ、第２開口部４２ａとが自己的にアライメントされるので、第１レンズ２４ａ、第４レンズ２６ｂの光軸と、第１開口部４０ａ、第２開口部４２ａの中心軸とを一致させ易い。また、一旦組み付けた後は、レンズの光軸と開口部の中心軸のズレが生じ難い。その結果、正立等倍レンズアレイプレート１１の結像性能を向上できる。
【００４０】
図３は、本発明の別の実施の形態に係る正立等倍レンズアレイプレート３１１を示す図である。本実施の形態においては、図２に示す正立等倍レンズアレイプレート１１と同一または対応する構成要素については同一の符号を用い、適宜説明を省略する。
【００４１】
本実施の形態に係る正立等倍レンズアレイプレート３１１は、第３遮光部材４４の構成が図２に示す正立等倍レンズアレイプレート１１と異なっている。本実施の形態の第３遮光部材４４は、第３開口部４４ａの第２レンズ２４ｂ側の開口端部４４ｂが末広がりのテーパ状に形成されている。この開口端部４４ｂのテーパ部は、第２レンズ２４ｂの外周部と当接している（図３では図示を明りょうにするために第２レンズ２４ｂと開口端部４４ｂは僅かに離間している）。さらに、第３開口部４４ａの第３レンズ２６ａ側の開口端部４４ｃも末広がりのテーパ状に形成されている。この開口端部４４ｃのテーパ部は、第３レンズ２６ａの外周部と当接している（図３では図示を明りょうにするために第３レンズ２６ａと開口端部４４ｃは僅かに離間している）。
【００４２】
このように構成された第３遮光部材４４を用いることにより、第３遮光部材４４を第１レンズアレイプレート２４と第２レンズアレイプレート２６の間に配設する際に、それほど精密な位置合わせを行わずとも、第３開口部４４ａは自己的に第２レンズ２４ｂおよび第３レンズ２６ａの正面にアライメントされる。従って、専用の治具などを用いずとも、第１レンズアレイプレート２４と第２レンズアレイプレート２６の間に第３遮光部材４４を配置できる。
【００４３】
また、正立等倍レンズアレイプレート３１１によれば、第１レンズアレイプレート２４および第２レンズアレイプレート２６と、第３遮光部材４４とを位置合わせするための凹凸嵌合構造が不要となるので、第１レンズアレイプレート２４、第２レンズアレイプレート２６、第３遮光部材４４の構造を簡素化できる。これにより、正立等倍レンズアレイプレート３１１をより安価にすることができる。
【００４４】
また、正立等倍レンズアレイプレート３１１によれば、第２レンズ２４ｂおよび第３レンズ２６ａと、第３開口部４４ａとが自己的にアライメントされるので、第２レンズ２４ｂおよび第３レンズ２６ａの光軸と、第３開口部４４ａの中心軸とを一致させ易い。また、一旦組み付けた後は、レンズの光軸と開口部の中心軸のズレが生じ難い。その結果、正立等倍レンズアレイプレート３１１の結像性能を向上できる。
【００４５】
図４は、本発明のさらに別の実施の形態に係る正立等倍レンズアレイプレート４１１を示す図である。本実施の形態においても、図２に示す正立等倍レンズアレイプレート１１と同一または対応する構成要素については同一の符号を用い、適宜説明を省略する。
【００４６】
本実施の形態に係る正立等倍レンズアレイプレート４１１は、第１遮光部材４０および第２遮光部材４２の構成が図２に示す正立等倍レンズアレイプレート１１と異なっている。本実施の形態の第１遮光部材４０および第２遮光部材４２は、それぞれ２つの部材から構成されている。なお、第２遮光部材４２は第１遮光部材４０と同様の構成であるため、ここでは第１遮光部材４０について説明する。
【００４７】
第１遮光部材４０は、第１レンズアレイプレート２４の第１面２４ｃ上に設けられた下部部材４５と、該下部部材４５上に設けられた上部部材４６とから構成されている。
【００４８】
下部部材４５は、薄いプレート上の光吸収性部材に複数の下部開口部４５ａを形成したものである。下部開口部４５ａは、平面視において円形の開口部であり、第１レンズ２４ａと同じピッチで下部部材４５の長手方向に沿って一列に形成されている。このように形成された下部部材４５は、下部開口部４５ａが対応する第１レンズ２４ａの正面に位置するように第１レンズアレイプレート２４の第１面２４ｃ上に設けられる。
【００４９】
上部部材４６は、プレート上の光吸収性部材に複数の上部開口部４６ａを形成したものである。上部開口部４６ａは、第１レンズ２４ａと同じピッチで上部部材４６の長手方向に沿って一列に形成されている。本実施の形態において、上部開口部４６ａは、第１レンズ２４ａと反対側の開口端部の開口径が、その他の部分よりも小さくなるように形成されている。
【００５０】
このように形成された下部部材４５と上部部材４６は、下部開口部４５ａと上部開口部４６ａの中心軸が一致するように積層される。このように第１遮光部材４０を２つの構成要素から構成することにより、図４に示すような複雑な形状の開口部を形成でき、所望の迷光除去性能を実現できる。
【００５１】
ここで、本実施の形態において、下部部材４５は、下部開口部４５ａの第１レンズ２４ａ側の開口端部４５ｂが末広がりのテーパ状に形成されている。この開口端部４５ｂのテーパ部は、第１レンズ２４ａの外周部と当接している（図４では図示を明りょうにするために第１レンズ２４ａと開口端部４５ｂは僅かに離間している）。これにより、それほど精密な位置合わせを行わずとも、下部開口部４５ａは自己的に第１レンズ２４ａの正面にアライメントされる。従って、専用の治具などを用いることなく、第１レンズアレイプレート２４上に下部部材４５を配置できる。また、下部部材４５と第１レンズアレイプレート２４を位置合わせするための凹凸嵌合構造が不要となるので、下部部材４５および第１レンズアレイプレート２４の構造を簡素化できる。なお、上部部材４６は、凹凸嵌合構造を用いて下部部材４５上に位置合わせされて取り付けられる。
【００５２】
図５は、本発明のさらに別の実施の形態に係る正立等倍レンズアレイプレート５１１を示す図である。本実施の形態においても、図２に示す正立等倍レンズアレイプレート１１と同一または対応する構成要素については同一の符号を用い、適宜説明を省略する。
【００５３】
本実施の形態に係る正立等倍レンズアレイプレート５１１は、第１遮光部材４０、第２遮光部材４２、および第３遮光部材４４の構成が図２に示す正立等倍レンズアレイプレート１１と異なっている。本実施の形態において、第１遮光部材４０は、第１開口部４０ａの第１レンズ２４ａ側の開口端部４０ｂが対応する第１レンズ２４ａの外形に沿うような末広がりの球面形状に形成されている。また、第２遮光部材４２は、第２開口部４２ａの開口端部４２ｂが対応する第４レンズ２６ｂの外形に沿うような末広がりの球面形状に形成されている。また、第３遮光部材４４は、第３開口部４４ａの第２レンズ２４ｂ側の開口端部４４ｂが対応する第２レンズ２４ｂの外形に沿うような末広がりの球面形状に形成されており、さらに第３開口部４４ａの第３レンズ２６ａ側の開口端部４４ｃも対応する第３レンズ２６ａの外形に沿うような末広がりの球面形状に形成されている。各開口端部の球面形状部は、対応するレンズの外周部と当接している（図５では図示を明りょうにするためにレンズと開口端部は僅かに離間している）。
【００５４】
このように構成された第１遮光部材４０、第２遮光部材４２および第３遮光部材４４を用いることによっても、各遮光部材を配設する際に、それほど精密な位置合わせを行わずとも、各遮光部材の開口部は自己的に対応するレンズの正面にアライメントされる。従って、専用の治具などを用いずとも各遮光部材を配置することができ、組み付け作業性を向上できる。
【００５５】
また、正立等倍レンズアレイプレート５１１においても、レンズアレイプレートと遮光部材とを位置合わせするための凹凸嵌合構造が不要となるので、各構成要素の構造を簡素化できる。これにより、安価な正立等倍レンズアレイプレート５１１実現できる。
【００５６】
また、正立等倍レンズアレイプレート５１１によれば、各遮光部材の開口部は自己的に対応するレンズの正面にアライメントされるので、レンズの光軸と開口部の中心軸とを一致させ易い。また、一旦組み付けた後は、レンズの光軸と開口部の中心軸のズレが生じ難い。その結果、正立等倍レンズアレイプレート５１１の結像性能を向上できる。
【００５７】
本実施の形態では、レンズが球面状に形成されているため、開口端部を球面形状に形成したが、開口端部は対応するレンズの外形に沿うように形成されていればよい。例えばレンズ形状が非球面である場合には、開口端部は末広がりの非球面形状に形成されてもよい。
【００５８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００５９】
１０  光走査ユニット、  １１、３１１、４１１、５１１  正立等倍レンズアレイプレート、  ２０  ラインイメージセンサ、  ２４  第１レンズアレイプレート、  ２６  第２レンズアレイプレート、  ４０  第１遮光部材、  ４２  第２遮光部材、  ４４  第３遮光部材、  １００  画像読取装置。
【図１】
2011118122.tif 000003
【図２】
2011118122.tif 000004
【図３】
2011118122.tif 000005
【図４】
2011118122.tif 000006
【図５】
2011118122.tif 000007